(57)【特許請求の範囲】
【請求項１】
ボルト挿通孔が開設された矩形板状の台座部と、該台座部の一方の辺縁より下方に延びた脚部とを有した挟持部材を一対備え、折板屋根の頂部より突出したボルト体の軸部に固定されるようになっている屋根上取付具であって、
前記脚部には、前記台座部の下方がわに延びたボルト軸巻き込み片が形成されており、
前記挟持部材の前記台座部どうしを重合して前記ボルト挿通孔どうしを重ねたときに、前記ボルト軸巻き込み片どうしでボルト挿通筒を形成する構成となっており、
前記ボルト挿通筒と、重合した前記ボルト挿通孔とに前記ボルト体の軸部が挿通され、前記台座部より上方に突出した前記ボルト体の軸部にナットを螺着して固定されるようになっており、
前記ボルト体の軸部の前記ボルト挿通筒への挿通は圧入とされ、該圧入により前記脚部どうしが中央に引き合うようになっていることを特徴とする屋根上取付具。
【請求項２】
請求項１において、
前記脚部は、前記折板屋根の頂部に当接する屋根載置部を備えている、屋根上取付具。
【発明の詳細な説明】
【技術分野】
【０００１】
本発明は、折板屋根の頂部より突出したボルト体の軸部に固定されるようになっている屋根上取付具に関する。
【背景技術】
【０００２】
この種の屋根上取付具として、たとえば特許文献１に示してあるような、一対の挟持部材を組み合わせてなるものがある。この文献のものは、台座部どうしを交差重合し、それらをボルト、ナットで固定することで、挟持片どうしが折板屋根のボルト体（剣先ボルト）の軸部を両側より挟持する構成となっている。
【０００３】
また、ボルト、ナットを用いて挟持部材を固定できるものとして、両脚部を直接、ボルト、ナットで緊締するようにした屋根上取付具も種々提案されている（たとえば、特許文献２参照）。
【先行技術文献】
【特許文献】
【０００４】
【特許文献１】特開２０１１−４７１４４号公報
【特許文献２】特開２０１１−１１１７４５号公報
【発明の概要】
【発明が解決しようとする課題】
【０００５】
ところで、特許文献１のものは、台座部の中心を支点として挟持片が挟み動作をなすように挟持部材を合体し、重合状態にある台座部の支点を上下よりボルトで締め付けて挟持片を近づける構造となっている。つまり、台座部どうしの締め付けにより交差状態の台座部間の隙間をなくし固定することで、挟持片を相互に近づける構造となっている。このような構造であるため、製造誤差がある場合に、挟持片どうしでボルト体を十分に挟持できなくなる可能性がある。
【０００６】
また、上特許文献２のものはボルト、ナットによる挟持部材の締付作業が必要であるため、屋根上での作業に時間を要するおそれがある。ようするに、このものは金属などの剛性の高い挟持部材の脚部を緊締する取付構造であるため、つまり挟持片間を直接的に近づけるように緊締操作をする必要のある構造であるため、特許文献１の台座部のボルト止めにくらべ大きな力が必要とされ、作業に長時間を要する可能性がある。
【０００７】
本発明は、このような事情を考慮して提案されたもので、その目的は、挟持部材の屋根への取り付けを簡単にでき、かつ強固に固定できる屋根上取付具を提供することにある。
【課題を解決するための手段】
【０００８】
上記目的を達成するために、請求項１に記載の屋根上取付具は、ボルト挿通孔が開設された矩形板状の台座部と、台座部の一方の辺縁より下方に延びた脚部とを有した挟持部材を一対備え、折板屋根の頂部より突出したボルト体の軸部に固定されるようになっている屋根上取付具であって、脚部には、台座部の下方がわに延びたボルト軸巻き込み片が形成されており、挟持部材の台座部どうしを重合してボルト挿通孔どうしを重ねたときに、ボルト軸巻き込み片どうしでボルト挿通筒を形成する構成となっており、ボルト挿通筒と、重合したボルト挿通孔とにボルト体の軸部が挿通され、台座部より上方に突出したボルト体の軸部にナットを螺着して固定されるようになっており、ボルト体の軸部のボルト挿通筒への挿通は圧入とされ、圧入により脚部どうしが中央に引き合うようになっていることを特徴とする。
【００１０】
請求項２に記載の屋根上取付具は、脚部が、折板屋根の頂部に当接する屋根載置部を備えている。
【発明の効果】
【００１１】
請求項１に記載の屋根上取付具によれば、上述の構成となっているため、ボルト、ナットによる締付作業の必要がなく、そのため挟持部材の屋根への取り付けを簡単に行える。また、両挟持部材が合体した状態で、ボルト挿通筒とボルト挿通孔の２箇所にボルト体の軸部が挿通するので、しっかりと固定される。
【００１２】
さらに、請求項１に記載の屋根上取付具によれば、ボルト挿通筒にはボルト体の軸部が圧入により挿通されるようになっているため、ボルト体の軸部に対してボルト挿通筒がしっかりと固定される。
【００１３】
請求項２に記載の屋根上取付具によれば、脚部が屋根載置部を有しているため、挟持部材が屋根の頂部の上において、ぐらつかず安定する。
【図面の簡単な説明】
【００１４】
【図１】本発明の一実施形態に係る屋根上取付具を構成する一対の挟持部材の分解斜視図である。
【図２】（ａ）は一対の挟持部材の合体した状態の分解斜視図であり、（ｂ）は両挟持部材のボルト軸巻き込み片により形成されたボルト挿通筒を示す部分平面図である。
【図３】挟持部材の屋根への取付状態を示す説明図である。（ａ）は一対の挟持部材の合体した状態の分解斜視図であり、（ｂ）は両挟持部材のボルト軸巻き込み片により形成されたボルト挿通筒を示す部分平面図である。
【発明を実施するための形態】
【００１５】
以下に、本発明の実施の形態について、添付図面をもとに説明する。まず、屋根上取付具の概略構成について説明する。
【００１６】
本屋根上取付具１は、ボルト挿通孔１１ａが開設された矩形板状の台座部１１と、台座部１１の一方の辺縁より下方に延びた脚部１２とを有した挟持部材１０、１０を一対備え、折板屋根３０の頂部３２より突出したボルト体３５の軸部３５ａに固定されるようになっている。
【００１７】
脚部１２には、台座部１１の下方がわに延びたボルト軸巻き込み片１３が形成されており、挟持部材１０、１０の台座部１１、１１どうしを重合してボルト挿通孔１１ａ、１１ａどうしを重ねたときに、ボルト軸巻き込み片１３、１３どうしでボルト挿通筒２０を形成する構成となっている。そして、ボルト挿通筒２０と、重合したボルト挿通孔１１ａ、１１ａとにボルト体３５の軸部３５ａが挿通され、台座部１１、１１より上方に突出したボルト体３５の軸部３５ａにナット３７を螺着して、屋根上取付具１が屋根上に固定される。
【００１８】
ついで、この屋根上取付具１の詳細について説明する。
この屋根上取付具１は、図３に示したように、折板屋根３０の上に取り付けられる。
【００１９】
折板屋根３０は、山部３１と谷部（不図示）とが交互に連続する屋根であって、複数の屋根材を山部３１の頂部３２においてボルト体３５で重合連結してなる屋根である。山部３１の頂部３２にはボルト体３５の軸部３５ａが突出し、そのボルト体３５が座金付きナット３６で固定してある。
【００２０】
屋根上取付具１は、折板屋根３０の頂部３２の上方に突出したボルト体３５の軸部３５ａに取り付け固定されるようになっている。なお、本屋根上取付具１は、ボルト体３５の軸部３５ａが、重合した台座部１１、１１のボルト挿通孔１１ａ、１１ａを挿通するようにして取り付けられるものであるため、十分に長いボルト体３５を使用することが望ましい。よって、屋根材の連結用のボルト体３５に代えて、他のボルト体３５を屋根上に突出させるように設けてもよい。
【００２１】
ついで、屋根上取付具１の各部について図１を参照しながら説明する。なお、図１は屋根上取付具１を概略的に示した分解斜視図であり、各部材の厚みの図示は省略してある。
【００２２】
屋根上取付具１は、上述したように、主たる構成部材として一対の挟持部材１０、１０を備えており、それらは合体された状態で折板屋根３０の頂部３２の上に固定されるようになっている。
【００２３】
本実施形態のものは、一対の挟持部材１０、１０が略同一形状とされ、挟持部材１０、１０のそれぞれは、平面視で矩形状の台座部１１、１１と、その一方の端部（１辺縁部）より下方に延びた脚部１２、１２を備えている。
【００２４】
台座部１１、１１の略中央にはボルト挿通孔１１ａ、１１ａが形成されている。両挟持部材１０、１０の台座部１１、１１どうしをずれなく重ねたときに、ボルト挿通孔１１ａ、１１ａどうしがずれなく重合するようになっている。
【００２５】
脚部１２、１２はやや外側に開くように下方に延びている（図１参照）。脚部１２、１２の高さ方向の略中央部には、所定の幅寸法に帯片が切り起こされ、台座部１１、１１の下方がわに延びている。この帯状片はボルト軸巻き込み片１３、１３を構成しており、その先端には湾曲片１３ａ、１３ａが形成されている。この湾曲片１３ａ、１３ａは、平面視で弧状とされ、半円よりもやや大きな弧に対応した湾曲片とされる。
【００２６】
また、このボルト軸巻き込み片１３、１３は、両挟持部材１０、１０の台座部１１、１１どうしをずれなく重ねたときに、図２（ｂ）に示すように、湾曲片１３ａ、１３ａどうしが噛み合うような位置に配されるように形成されている。なお、湾曲片１３ａ、１３ａの内面には、滑り止め用の凹凸を設けることが望ましい。
【００２７】
また、脚部１２、１２の下端には、台座部１１、１１の下方がわに折曲、延出した屋根載置部１２ａ、１２ａを備えている。この屋根載置部１２ａ、１２ａは、挟持部材１０、１０を折板屋根３０の頂部３２に設置したときに屋根面に当接して脚部１２、１２の安定を図るものである。なお、屋根載置部１２ａ、１２ａは台座部１１、１１とは反対の方向に延出したものでもよい。
【００２８】
一対の挟持部材１０、１０は、図２に示すように台座部１１、１１どうしをずれなく重ねて合体されると、ボルト軸巻き込み片１３、１３の湾曲片１３ａ、１３ａどうしは噛み合い、ボルト挿通筒２０が形成される。このボルト挿通筒２０は、台座部１１、１１のボルト挿通孔１１ａ、１１ａの真下に形成される。この合体状態では、ボルト挿通筒２０は図２（ｂ）に示すような楕円筒の形状となっている。
【００２９】
両挟持部材１０、１０の合体状態を保持しながら、ボルト挿通筒２０、ボルト挿通孔１１ａ、１１ａに、折板屋根３０の頂部３２に突出したボルト体３５の軸部３５ａを通すことで、両挟持部材１０、１０は、図３（ａ）に示すように屋根上に設置される。図３（ｂ）に示すように、ボルト挿通筒２０にボルト体３５の軸部３５ａが通ることで、両ボルト軸巻き込み片１３、１３がボルト体３５の軸部３５ａを挟持した状態となる。また、ボルト挿通筒２０は、ボルト体３５の軸部３５ａが圧入することで、楕円筒から円筒に変化する。つまり、両挟持部材１０、１０をボルト体３５に取り付けることで両脚部１２、１２は中央に引き寄せられる。
【００３０】
そして、図３（ａ）に示すように、台座部１１、１１のボルト挿通孔１１ａ、１１ａより飛び出たボルト体３５の軸部３５ａにナット３７を螺着することで、両挟持部材１０、１０が屋根上に固定される。台座部１１、１１の上方に突出したボルト体３５の軸部３５ａには、遮熱シート（不図示）を取り付けるためのレール（不図示）などの屋根上物品を取り付けることができる。
【００３１】
このように、この屋根上取付具１によれば、挟持部材１０、１０を合体して上下２つの孔にボルト体３５を通すだけでよく、脚部１２、１２を横方向に貫通するボルトと、ナットとによる締付作業の必要がないため、挟持部材１０、１０の屋根への取り付けを簡単に行うことができる。また、両挟持部材１０、１０が合体した状態で、ボルト挿通筒２０とボルト挿通孔１１ａ、１１ａの２箇所に、ボルト体３５の軸部３５ａが挿通するので、しっかりと固定される。特にボルト挿通筒２０では、２つの湾曲片１３ａ、１３ａがボルト体３５の軸部３５ａをしっかりと挟持するので、脚部１２、１２がぐらつくおそれはほとんどない。
【００３２】
また、挟持部材１０、１０をボルト体３５の軸部３５ａに取り付けたときに脚部１２、１２が中央に引っ張られるようになっているため、ボルト体３５の軸部３５ａに対してボルト挿通筒２０がしっかりと固定される。また、脚部１２、１２が折板屋根３０の頂部３２に当接する屋根載置部１２ａ、１２ａを備えているので、両挟持部材１０、１０は頂部３２の上で安定する。
【００３３】
さらに本実施形態のものは、一対の挟持部材１０、１０が略同一形状であるため、部品点数を少なくすることができる。また、屋根材連結用のボルト体３５を利用すれば、さらに部品点数を少なくすることができる。
【００３４】
以上には、一対の挟持部材１０、１０を合体してからボルト体３５に取り付ける手順を例示したが、ボルト体３５の軸部３５ａに対して挟持部材１０、１０を１つずつ取り付けるようにしてもよい。なお、上述した手順では、挟持部材１０、１０を合体した場合において挟持部材１０、１０は相互に固定されていないが、ボルト体３５への取り付けをしやすくするために、合体状態で仮固定できるようにしてもよい。
【符号の説明】
【００３５】
１          屋根上取付具
１０        挟持部材
１１        台座部
１１ａ      ボルト挿通孔
１２        脚部
１２ａ      屋根載置部
１３        ボルト軸巻き込み片
１３ａ      湾曲片
２０        ボルト挿通筒
３０        折板屋根
３１        山部
３２        頂部
３５        ボルト体
３５ａ      軸部
３６        座金付きナット
３７        ナット
【要約】
【課題】挟持部材の屋根への取り付けを簡単にでき、かつ強固に固定できる屋根上取付具を提供する。
【解決手段】脚部１２には、台座部１１の下方がわに延びたボルト軸巻き込み片１３が形成されており、挟持部材１０、１０の台座部１１、１１どうしを重合してボルト挿通孔１１ａ、１１ａどうしを重ねたときに、ボルト軸巻き込み片１３ａ、１３ａどうしでボルト挿通筒２０を形成する構成となっており、ボルト挿通筒２０と、重合したボルト挿通孔１１ａ、１１ａとにボルト体３５の軸部３５ａが挿通され、台座部１１、１１より上方に突出したボルト体３５の軸部３５ａにナット３７を螺着して、屋根上取付具１は屋根上に固定される。
【選択図】図３【図１】
0006014717.tif 000002
【図２】
0006014717.tif 000003
【図３】
0006014717.tif 000004